(57)【特許請求の範囲】
【請求項１】
容器本体に取付け可能なコンテナキャップと、
前記コンテナキャップに摺動自在に取付けられると共に、前記容器本体内の内容物を一定量ずつ噴出するため、前記内容物を一時的に一定量ずつ保持するステムと、
前記ステムの出口側の先端に着脱自在に取り付けられた押しボタンと、
前記押しボタンを前記容器本体の外側に向けて付勢する戻しスプリングと、
前記押しボタンを上限位置に保持するため、前記コンテナキャップに着脱自在に取付けられると共に前記押しボタンに係止可能なカバーとを備え、
前記カバーを前記コンテナキャップから取り外すことにより、前記押しボタン及び前記戻しスプリングを取り外すことができることを特徴とする噴射容器。
【発明の詳細な説明】
【発明の属する技術分野】
【０００１】
本発明は、噴射容器に関する。
【０００２】
【従来の技術】
図４に示すように、従来の噴射容器10は、容器本体11に取付けられるコンテナキャップ12と、このコンテナキャップ12に摺動自在に取付けられると共に、容器本体11内の内容物を一定量ずつ噴出するため、内容物を一時的に一定量ずつ保持するステム13と、このステム13の出口側の先端に着脱自在に取り付けられた押しボタン14と、ステム13の下側に配置されたハウジング15と、ステム13及び押しボタン14を容器本体11の外側に向けて付勢するためハウジング15内に配置された戻しスプリング16と、ステム13内とハウジング内下端との間に位置する逆止弁のボールとを有していた。戻しスプリング16は金属製であり、又逆止弁のボールも金属製であり、それ以外の各部分は樹脂製である。
【０００３】
【発明が解決しようとする課題】
しかしながら、従来の噴射容器10は、戻しスプリング16が奥の方、すなわち、ステム13の下部側に取付けられたハウジング15内に取付けられており、簡単に取り外すことができなかった。そのため、内容物を使いきった後、噴射容器10を廃棄するときに、金属製の戻しスプリング16と、それ以外の樹脂製の各部分とを一体にしたまま廃棄しており、リサイクルが進まないという問題があった。
【０００４】
そこで、本発明の目的は上記課題を解消することであり、金属製の戻しスプリングを樹脂製の各部分と簡単に分離でき、これによって、リサイクルを促進できる噴射容器を提供することである。
【０００５】
【課題を解決するための手段】
本発明の上記目的は、容器本体に取付け可能なコンテナキャップと、前記コンテナキャップに摺動自在に取付けられると共に、前記容器本体内の内容物を一定量ずつ噴出するため、前記内容物を一時的に一定量ずつ保持するステムと、前記ステムの出口側の先端に着脱自在に取り付けられた押しボタンと、前記押しボタンを前記容器本体の外側に向けて付勢する戻しスプリングと、前記押しボタンを上限位置に保持するため、前記コンテナキャップに着脱自在に取付けられると共に前記押しボタンに係止可能なカバーとを備え、前記カバーを前記コンテナキャップから取り外すことにより、前記押しボタン及び前記戻しスプリングを取り外すことができることを特徴とする噴射容器によって達成できる（請求項１）。
【０００７】
【発明の実施の形態】
以下、本発明に係る噴射容器の実施の形態について、図面を参照して詳細に説明する。
図１は本発明の第１実施形態の噴射容器を示す断面図、図２は本発明の第２実施形態の噴射容器を示す断面図、図３は本発明の第２実施形態の押しボタンとステムの取付け方法を説明する図である。
【０００８】
（第１実施形態）
図１に示すように、本発明の第１実施形態の噴射容器１は、従来と同様に、容器本体11に取付けられるコンテナキャップ12と、このコンテナキャップ12に摺動自在に取付けられると共に、容器本体11内の内容物を一定量ずつ噴出するため、内容物を一時的に一定量ずつ保持するステム13と、このステム13の出口側の先端に摺動自在に取り付けられた押しボタン14と、ステム13の下部側に配置されたハウジング15と、押しボタン14を容器本体11の外側に向けて付勢する戻しスプリング16とを備えている。
【０００９】
但し、この噴射容器１は、従来と異なり、戻しスプリング16がコンテナキャップ12と押しボタン14との間に配置されている。コンテナキャップ12の上部側には、戻しスプリング16を覆うカバー17が螺合されている。このカバー17の上端部の内面には、係止部18が突出されている。一方、押しボタン14の下端外面には、突起19が設けられている。そして、押しボタン14の突起19がカバー17の係止部18に係止されることにより、押しボタン14の上限位置が規制されている。
【００１０】
また、ステム13の下部側には、容器本体11内部まで延びるハウジング20が取付けられている。このハウジング20の内側には、ステム13の下端部に嵌合されたピストン21及びホルダ22が摺動自在に挿入されている。
更に、ハウジング20の内部には、ホルダ22より下側に位置する逆止弁としての下ボール23が一定の範囲で移動自在に挿入されている。この下ボール23の更に下側に、チューブ24が取付けられている。
【００１１】
押しボタン14には、逆Ｌ字状の液通路25が設けられ、この液通路25がステム13の液通路26に接続されている。ステム13の液通路26には、逆止弁としての上ボール27が一定の範囲で移動自在に挿入されている。なお、図１中の符号28はパッキン、29はキャップである。
【００１２】
この噴射容器１を使用する場合は、押しボタン14を容器本体11側に押し込む。そうすると、ステム13と、その下側に取り付けられたピストン21及びホルダー22が容器本体11側に移動する。これにより、ハウジング11内に貯液されている内容物が、ホルダー22とハウジング11との間の隙間を通り、ステム13の液通路26内に送られる。このとき、ハウジング11内の内容物は、下ボール23によって容器本体11側に戻るのを止められる。
【００１３】
また、押しボタン14の押し込みによって、ステム13の上ボール27が上側に移動し、その周囲に隙間ができる。そして、ステム13の液通路23に送られた内容物は、上ボール27の周囲の隙間を通り、押しボタン14の液通路25を介して外部に噴出される。
【００１４】
この後、押しボタン14に加えていた押し込み力を取り除くと、戻しスプリング16によって押しボタン14が元の位置に戻される。このとき、ハウジング15内の下ボール23が上方に移動し、その周囲に隙間ができる。この隙間を通って、容器本体11内の内容物が上昇し、ハウジング15内に貯液される。
【００１５】
このようにして、容器本体11内の内容物を全て使用した後、容器本体11及び噴射容器１を廃棄する場合は、まず、噴射容器１を容器本体11から取り外す。次に、噴射容器１のキャップ29及びカバー17をコンテナキャップ12から取り外す。次に、押しボタン14をステム13から取り外す。そうすると、戻しスプリング16が露出されるので、これを簡単に取り外すことができる。これによって、金属製の戻しスプリング16と、これ以外の樹脂製の各部分とを分離できるので、廃棄後のリサイクルが可能になる。
【００１６】
（第２実施形態）
図２は、本発明の第２実施形態の噴射容器２を示す。なお、図１と同一の部分には同一の符号をつけて、詳細な説明を省略した。
この噴射容器２は、押しボタン30がステム13の上部側に嵌合されている。押しボタン30には、図３に示すように、嵌合穴31が設けられ、ステム13の上端部には、螺旋状の突起32が設けられている。そして、ステム13の突起32が押しボタン30の嵌合穴31に嵌入されている。
【００１７】
押しボタン30をステム13から取り外す場合には、押しボタン30を回転させながら上方に引くことにより、ネジ作用で簡単に取り外すことができる。この噴射容器２によれば、押しボタン30の上限位置を規制するためのカバーなどが不要になるので、部品点数を低減してコストダウンが可能になる。
【００１８】
【発明の効果】
以上説明したように、本発明によれば、押しボタンをステムから取り外すだけで金属製の戻しスプリングを取り外すことができ、これによって、金属製の戻しスプリングと、それ以外の樹脂製の各部分とを分離して廃棄できるので、リサイクルを促進できる。
【図面の簡単な説明】
【図１】本発明の第１実施形態の噴射容器を示す断面図である。
【図２】本発明の第２実施形態の噴射容器を示す断面図である。
【図３】本発明の第２実施形態の押しボタンとステムの取付け方法を説明する図である。
【図４】従来例の噴射容器を示す断面図である。
【符号の説明】
１，２  噴射容器
11  容器本体
12  コンテナキャップ
13  ステム
14，30  押しボタン
16  戻しスプリング
17  カバー（係止手段）
31  嵌合用凹部
32  突起（係止手段）
【図１】
0004394256.tif 000002
【図２】
0004394256.tif 000003
【図３】
0004394256.tif 000004
【図４】
0004394256.tif 000005